(57)【要約】      （修正有）【課題】被介助者を、移乗移動器具で移乗した際に素早く連結移動着脱椅子に着座して移動が可能で、多少の段差や柔らかい床仕上げでも移動が軽く出来、低床ベッドでも移乗が可能な移乗移動器具の連結移動着脱椅子を備えた移乗移動器具が提供できる。【解決手段】介助者は、自在前輪３１左右と自在後輪３２を備えた車台を前後方向と横方向に移動させて、移乗移動器具凹の所定の位置に、Ｌ字型又は逆Ｔ字型で前後方向と上下方向支持部２１を凸で挿入させ、上下方向と前後方向に緩みを持った連結ができ、左右方向保持部２２Ａを水平状態から後方に回転させて、両端当接部２２Ｃが移乗移動器具の左右連結部１０１の内側に挿入し、左右方向を保持して、移乗移動器具と連結移動着脱椅子が、連結車両になり、荷重と自重をそれぞれ分散した移乗移動器具に連結移動着脱椅子を備えた「移乗移動連結移動着脱椅子」で、介助者には、使いやすく、要介護者には、優しい、介護器具になる。【選択図】図１
2019005527.tif 000002
【特許請求の範囲】
【請求項１】
移動可能な車台と、前記車台に固定された連結支持機構と、を備える連結移動着脱椅子であって、
前記車台は、左右に自在前輪を間隔空けて配置し後輪自在１輪を３脚で支持し、
上部は、前記３脚をＶ字型フレームで一体にし、前記Ｖ字型フレーム上には、座席板を備え、
前記左右前輪支持上部に水平左右方向を一体にする、車輪支持板を有し、
前記車輪支持板に左右間隔空けて所定の位置に、下方方向にＬ字型の前後方向と上下方向を保持する支持部を有し、
前記車輪支持板上部には、左右方向を保持する略縦コの字型の左右方向保持部を有し、前記左右方向保持部は、左右間隔空けて所定の位置に回転自在に支持する回転支持部を有し、
前記回転支持部は、左右方向保持部の左右両側の中央近傍を回転自在に保持し、前記回転支持部に支持された前記左右方向保持部端部が、水平の位置から前方方向に回転して、前記左右方向保持部の両端部が当接して左右方向を保持し、左右方向と上下方向と前後方向に緩みある連結された連結移動着脱椅子。
【請求項２】
自在車輪は複数の車輪で複数の脚を要しても良い請求項１に記載の連結移動着脱椅子。
【発明の詳細な説明】
【技術分野】
【０００１】本発明は、移乗移動器具に連結して使用する連結移動着脱椅子で、特に移動可能な車台と車台に固定された連結機構と、を備える着脱装置に関する。
【背景技術】
【０００２】近年は、要介護者の在宅要介護が必要不可欠な社会において、移乗移動器具で移乗した際に、移乗した状態での要介護者は、自力で保持が出来ないので素早く着座出来て、移動できる着脱座席が必要である。
【先行技術文献】
【特許文献】
【０００３】このような状況に鑑み、特許文献１には、着座座席が移乗移動器具と一体に装着される仕組みで、提案されている。
この特許１の文献の着脱座席によれば、移乗移動器具と着脱座席を一体に接続保持して、着脱座席になり被介助者を着座して移動が可能である。
【特許文献１】特開２０１７−０２３３００号
【発明の概要】
【発明が解決しようとする課題】
【０００４】しかしながら、特許文献１の着脱座席は、車輪で支持されておらず、要介護者の自重は、移乗移動器具と加算される荷重になり、移乗移動器具を支える着脱座席セット側の車輪に加算され、着座した着脱座面を支える車輪には、偏芯モーメントが加算される為に、柔らかい床仕上げや多少の段差の移動は難しい、例え車輪の径を大きくすると低床ベッドからの移乗は、ベッドのフレームに当接して利用することが難しい。【０００４】    本発明は、着脱座席から連結移動着脱椅子に自在車輪を３輪以上要し、移乗移動器具と少なくとも、左右方向・上下方向・前後方向に緩みを持たせて保持し、連結した状態で連結移動着脱椅子になり、移乗移動器具と連結車両になり荷重を分散する事で偏芯モーメントの加算荷重を無くし、移乗移動器具の自重と連結移動着脱椅子の荷重に要介護者の自重加えた荷重で、それぞれが分散した荷重になり、偏芯モーメントを無くした、移乗移動器具と連結できる、自在車輪付き連結移動着脱椅子を提供する。
【課題を解決するための手段】
【０００５】    （１）        移動可能な車台と、前記車台に固定された連結支持機構と、を備える連結移動着脱椅子であって、
前記車台は、左右に自在前輪を間隔空けて配置し後輪自在１輪を３脚で支持し、
前記３脚をＶ字型フレームで一体にし、前記Ｖ字型フレーム上には、座席板を備え、
前記左右前輪支持上部に水平左右方向を一体にする、車輪支持板を有し、
前記車輪支持板に左右間隔空けて所定の位置に、下方方向にＬ字型の前後方向と上下方向を保持する支持部を有し、
前記車輪支持板上部には、左右方向を保持する略縦コの字型の左右方向保持部を有し、前記左右方向保持部は、左右間隔空けて所定の位置に回転自在に支持する回転支持部を有し、
前記回転支持部は、左右方向保持部の左右両側の中央近傍を回転自在に保持し、前記回転支持部に支持された前記左右方向保持部端部が、水平の位置から前方方向に回転して、前記左右方向保持部の両端部が当接して左右方向を保持し、左右方向と上下方向と前後方向に緩みある連結された連結移動着脱椅子。【０００６】    （１）  の構成によれば、  移動可能な車台と、前記車台に固定された連結支持機構と、を備える連結移動着脱椅子である。
車台は、左右に自在前輪を間隔空けて配置し後輪自在１輪を３脚で支持している。
上部は、前記３脚をＶ字型フレームで一体にし、前記Ｖ字型フレーム上には、座席板を備えている。
左右前輪支持上部に水平左右方向を連結する、車輪支持板を備えている。
車輪支持板に左右間隔空けて所定の位置に、下方方向にＬ字型の前後方向と上下方向を保持する支持部を備えている。
車輪支持板上部には、左右方向を保持する略縦コの字型の左右方向保持部を備えている。
左右方向保持部は、左右間隔空けて所定の位置に回転自在に支持する回転支持部を備えている。
回転支持部は、左右方向保持部の左右両側の中央近傍を回転自在に保持している。
回転支持部に支持された前記左右方向保持部端部が、水平の位置から前方方向に回転する。
左右方向保持部の両端部が当接して左右方向を保持している。
左右方向と上下方向と前後方向に緩みある連結された連結移動着脱椅子である。【０００７】    （１）の様な構成によれば、車輪支持板に左右間隔空けて所定の位置に、下方方向にＬ字型の前後方向と上下方向を保持する支持部を備えている。
介助者は、連結移動着脱椅子を移乗移動器具と連結する場合、連結移動着脱椅子を前後方向と横方向に移動させて移乗移動器具に備えられた凹部に、連結移動着脱椅子のＬ字型部を凸状態で挿入して、上下方向と前後方向を緩みを持たせて保持できる。【０００８】
【０００７】の構成によれば、左右・上下・前後方向は、緩みを持たせ段差や多少の床の勾配に対して移乗器具と連結移動着脱椅子の連結部にそれぞれに緩みを持たせて連結が出来る。【０００９】    （１）の構成によれば、車輪支持板上部には、左右方向を保持する略縦コの字型の左右方向保持部を備えている。
左右方向保持部は、左右間隔空けて所定の位置に回転自在に支持する回転支持部を備えている。
回転支持部は、左右方向保持部の左右両側の中央近傍を回転自在に保持している。
回転支持部に支持された前記左右方向保持部端部が、水平の位置から前方方向に回転する。
左右方向保持部の両端部が当接して左右方向を保持する。
左右方向と上下方向と前後方向に緩みある連結された連結移動着脱椅子である。【００１０】    略縦コの字型左右方向保持部は、垂直方向左右が側面で、下方は底面で、垂直方向左右側面には、中央近傍に回転可能な支持部が備え、下方の底面は、左右側面より左右方向に広く、左右側面と下方底面の直角部外側は、両端部が当接部になる。【００１１】    回転支持部は、車輪支持板上部に左右間隔空けて所定の位置に固定され、略縦コの字型の両側を保持して略縦コの字型左右方向保持部を回転可能にする。
［００１０］と［００１１］の構成によれば、介助者は、略縦コの字型左右方向保持部の左右側面が水平状態から後方に回転した状態で略縦コの字型左右方向保持部の直角部外側の両端部が当接部となり左右方向を保持して左右方向と上下方向と前後方向に緩みのある保持部になる。
【発明の効果】
【００１２】本発明によれば、低床ベッドにも使用が出来て、被介助者が、移乗した状態から連結移動着脱椅子に素早く着座出来て、要介助者の自重と移乗移動器具の自重を分散させ、偏芯モーメントを無くし、連結した連結移動着脱椅子と連動できる移乗移動器具になり、軽い力で移動が可能になり、段差や柔らかい床仕上げでの利用が容易くなる。
【図面の簡単な説明】
【００１３】
【図１】本発明の第一実施形態に係る人物を入れた、移乗移動器具と連結移動着脱椅子を連結した状態を右方向から見た図である。
【図２】前記第一実施形態に係る連結移動着脱椅子を、座席板を外し、左右方向保持部がロックされた状態を正面から見た図である。
【図３】前記第一実施形態に係る連結移動着脱椅子を、座席板を外し、左右方向保持部がロックされた状態を後面から見た図である。
【図４】前記第一実施形態に係る連結移動着脱椅子を、座席板を外し、左右方向保持部がロックされた状態を左面から見た図である。
【図５】前記第一実施形態に係る連結移動着脱椅子を、座席板を外し、左右方向保持部がロックされた状態を右面から見た図である。
【図６】前記第一実施形態に係る連結移動着脱椅子を、座席板を外し、左右方向保持部がロックされた状態を上面から見た図である。
【図７】前記第一実施形態に係る連結移動着脱椅子を、座席板を外し、左右方向保持部がロックされた状態を下面から見た図である。
【図８】前記第一実施形態に係る連結移動着脱椅子を、座席板を外し、左右方向保持部がロックされた状態をＡ−Ａ線断面を右面から見た図である。
【図９】前記第一実施形態に係る連結移動着脱椅子を、座席板を取り付け、左右方向保持部ロックを解除した状態のＡ−Ａ線断面を右面から見た図である。
【図１０】前記第一実施形態に係る連結移動着脱椅子を、座席板を外し、左右方向保持部ロックを解除した状態を示す参考斜視図である。
【発明を実施するための形態】
【実施例】
【００１４】本発明の第一実施形態について説明する。以下の第一実施形態の説明において、同一の構成には同一の符号を付し、その説明を省略又は簡略する。
図１は、人物２００を入れた連結移動着脱椅子を移乗移動器具１００に連結して人物２００を安全帯１０２で座位保持して、移動状態を示す図で、移乗移動器具１００の後方に突出した連結移動着脱椅子との連結部１０１に連結移動着脱椅子連結部２０がセットされた状態を示す。【００１５】図２は、正面から見た図で、座席板４１を表示しない図で、左右方向保持部２２Ａが水平から後方に回転してロックが掛かった状態を示す。
図の説明を車輪支持板１４に沿って上から下から左から右に説明する。
自在前輪脚１２・車輪支持板１４・自在前輪３１・Ｌ字型前後方向と上下方向支持部２１・左右方向保持部回転軸２４・回転支持部２３・左右方向保持部２２Ａ・両端当接部２２Ｃ・左右方向保持部２２Ａの左右を連結する連結棒２５・左右方向保持部幅支持２２Ｂ・自在後輪脚１３・自在後輪３２・図に対して、これより右方向は前文紹介の逆さになる。【００１６】図３は、後方から見た図で、座席板４１を表示しない図で、左右方向保持部２２Ａが水平から後方に回転してロックが掛かった状態を示す。
図３の記号説明は、図２の説明に準ずる。【００１７】図４は、連結移動着脱椅子を左面から見た図で、座席板４１を表示しない図で、左右方向保持部２２Ａが水平から後方に回転してロックが掛かった状態を示す。
図の説明を上から下から左から右に説明する。
Ｖ字型フレーム１１・自在後輪脚１３・自在後輪３２・左右方向保持部２２Ａ・両端当接部２２Ｃ・回転支持部２３・左右方向保持部回転軸２４・自在前輪脚１２・車輪支持板１４・自在前輪３１である。【００１７】図５は、連結移動着脱椅子を右面から見た図で、座席板４１を表示しない図で、左右方向保持部２２Ａが水平から後方に回転してロックが掛かった状態を示す。
図の説明は、図４の説明に対して逆さである。【００１８】図６は、連結移動着脱椅子を上面から見た図で、座席板４１を表示しない図で、左右方向保持部２２Ａが水平から後方に回転してロックが掛かった状態を示す。
図の説明を上から下から左から右に説明する。
車輪支持板１４・自在前輪３１・Ｖ字型フレーム１１・左右方向保持部回転軸２４・回転支持部２３・左右方向保持部２２Ａ・左右方向保持部２２Ａの左右を連結する連結棒２５・左右方向保持部幅支持２２Ｂ・左右方向保持部２２Ａ・回転支持部２３・左右方向保持部回転軸２４・Ｖ字型フレーム１１・車輪支持板１４・自在前輪３１がある。【００１９】図７は、連結移動着脱椅子を下面から見た図で、座席板４１を表示しない図で、左右方向保持部２２Ａが水平から後方に回転してロックが掛かった状態を示す。
図の説明を上から下から左から右に説明する。
自在前輪３１・車輪支持板１４・Ｖ字型フレーム１１・Ｌ字型前後方向と上下方向支持部２１・左右方向保持部回転軸２４・回転支持部２３・左右方向保持部２２Ａ・左右方向保持部幅支持２２Ｂ・左右方向保持部２２Ａの左右を連結する連結棒２５・左右方向保持部２２Ａ・回転支持部２３・左右方向保持部回転軸２４・Ｌ字型前後方向と上下方向支持部２１・自在前輪３１・車輪支持板１４・Ｖ字型フレーム１１がある。【００２０】図８は、連結移動着脱椅子をＡ−Ａ線断面図で右面から見た図で、座席板４１を表示しない図で、左右方向保持部２２Ａが水平から後方に回転してロックが掛かった状態を示す。
図の説明を上から下から左から右に説明する。
自在前輪脚１２・回転支持部２３・車輪支持板１４・Ｌ字型前後方向と上下方向支持部２１・自在前輪３１・左右方向保持部２２Ａ・左右方向保持部回転軸２４・左右方向保持部２２Ａの左右を連結する連結棒２５・Ｖ字型フレーム１１・自在後輪脚１３・自在後輪３２がある。【００２１】図９は、連結移動着脱椅子をＡ−Ａ線断面図で右面から見た図で、座席板４１を表示した図で、左右方向保持部２２Ａが後方から水平に回転してロックを解除した状態を示す。
図の説明を上から下から左から右に説明する。
座席板４１・Ｖ字型フレーム１１・自在前輪脚１２・左右方向保持部２２Ａ・左右方向保持部２２Ａの左右を連結する連結棒２５・車輪支持板１４・Ｌ字型前後方向と上下方向支持部２１・自在前輪３１・自在後輪脚１３・自在後輪３２がある。【００２２】図１０は、連結移動着脱椅子の斜視図で左面から見た図で、座席板４１を表示しない図で、左右方向保持部２２Ａが後方から水平に回転してロックを解除した状態を示す。
図の説明は、図で示す通り。
【符号の説明】
【００２３】    １        車台フレーム
１１      Ｖ字型フレーム
１２      自在前輪脚
１３      自在後輪脚
１４      車輪支持板
２０      連結支持機構
２１      Ｌ字型前後方向と上下方向支持部
２２Ａ    左右方向保持部
２２Ｂ    左右方向保持部幅支持
２２Ｃ    両端支持部
２３      回転支持部
２４      左右方向保持部回転軸
２５      左右方向保持部２２Ａの左右を連結する連結棒
３０      自在車輪
３１      自在前輪
３２      自在後輪
４０      座席
４１      座席板
１００    移乗移動器具
１０１    移乗移動器具の連結移動着脱椅子との連結部
１０２    移乗移動器具の安全帯
２００    人物
【図１】
2019005527.tif 000003
【図２】
2019005527.tif 000004
【図３】
2019005527.tif 000005
【図４】
2019005527.tif 000006
【図５】
2019005527.tif 000007
【図６】
2019005527.tif 000008
【図７】
2019005527.tif 000009
【図８】
2019005527.tif 000010
【図９】
2019005527.tif 000011
【図１０】
2019005527.tif 000012
【手続補正書】
【提出日】平成29年7月18日(2017.7.18)
【手続補正３】
【補正対象書類名】特許請求の範囲
【補正対象項目名】請求項１
【補正方法】変更
【補正の内容】
【請求項１】
移動可能な車台と、前記車台に固定された連結支持機構と、を備える連結移動着脱椅子であって、
前記車台は、左右に自在前輪を間隔空けて配置し後輪自在１輪を３脚で支持し、
上部は、前記３脚をＶ字型フレームで一体にし、前記Ｖ字型フレーム上には、座席板を備え、
前記左右前輪支持上部に水平左右方向を一体にする、車輪支持板を有し、
前記車輪支持板に左右間隔空けて所定の位置に、下方方向にＬ字型又は逆Ｔ字型で前後方向と上下方向を保持する支持部を有し、
前記車輪支持板上部には、左右方向を保持する略縦コの字型の左右方向保持部を有し、前記左右方向保持部は、左右間隔空けて所定の位置に回転自在に支持する回転支持部を有し、
前記回転支持部は、左右方向保持部の左右両側の中央近傍を回転自在に保持し、前記回転支持部に支持された前記左右方向保持部端部が、水平の位置から後方方向に回転して、前記左右方向保持部の両端部が当接して左右方向を保持し、左右方向と上下方向と前後方向に緩みある連結された連結移動着脱椅子。
【手続補正４】
【補正対象書類名】明細書
【補正対象項目名】０００５
【補正方法】変更
【補正の内容】
【０００５】    （１）      移動可能な車台と、前記車台に固定された連結支持機構と、を備える連結移動着脱椅子であって、
前記車台は、左右に自在前輪を間隔空けて配置し後輪自在１輪を３脚で支持し、
前記３脚をＶ字型フレームで一体にし、前記Ｖ字型フレーム上には、座席板を備え、
前記左右前輪支持上部に水平左右方向を一体にする、車輪支持板を有し、
前記車輪支持板に左右間隔空けて所定の位置に、下方方向にＬ字型又は逆Ｔ字型で前後方向と上下方向を保持する支持部を有し、
前記車輪支持板上部には、左右方向を保持する略縦コの字型の左右方向保持部を有し、前記左右方向保持部は、左右間隔空けて所定の位置に回転自在に支持する回転支持部を有し、
前記回転支持部は、左右方向保持部の左右両側の中央近傍を回転自在に保持し、前記回転支持部に支持された前記左右方向保持部端部が、水平の位置から後方方向に回転して、前記左右方向保持部の両端部が当接して左右方向を保持し、左右方向と上下方向と前後方向に緩みある連結された連結移動着脱椅子。
【手続補正５】
【補正対象書類名】明細書
【補正対象項目名】０００６
【補正方法】変更
【補正の内容】
【０００６】    （１）  の構成によれば、  移動可能な車台と、前記車台に固定された連結支持機構と、を備える連結移動着脱椅子である。
車台は、左右に自在前輪を間隔空けて配置し後輪自在１輪を３脚で支持している。
上部は、前記３脚をＶ字型フレームで一体にし、前記Ｖ字型フレーム上には、座席板を備えている。
左右前輪支持上部に水平左右方向を連結する、車輪支持板を備えている。
車輪支持板に左右間隔空けて所定の位置に、下方方向にＬ字型又は逆Ｔ字型で前後方向と上下方向を保持する支持部を備えている。
車輪支持板上部には、左右方向を保持する略縦コの字型の左右方向保持部を備えている。
左右方向保持部は、左右間隔空けて所定の位置に回転自在に支持する回転支持部を備えている。
回転支持部は、左右方向保持部の左右両側の中央近傍を回転自在に保持している。
回転支持部に支持された前記左右方向保持部端部が、水平の位置から後方方向に回転する。
左右方向保持部の両端部が当接して左右方向を保持している。
左右方向と上下方向と前後方向に緩みある連結された連結移動着脱椅子である。
【手続補正６】
【補正対象書類名】明細書
【補正対象項目名】０００７
【補正方法】変更
【補正の内容】
【０００７】    （１）の様な構成によれば、車輪支持板に左右間隔空けて所定の位置に、下方方向にＬ字型又は逆Ｔ字型で前後方向と上下方向を保持する支持部を備えている。
介助者は、連結移動着脱椅子を移乗移動器具と連結する場合、連結移動着脱椅子を前後方向と横方向に移動させて移乗移動器具に備えられた凹部に、連結移動着脱椅子のＬ字型又は逆Ｔ字型部を凸状態で挿入して、上下方向と前後方向の緩みを持たせて保持できる。
【手続補正７】
【補正対象書類名】明細書
【補正対象項目名】０００９
【補正方法】変更
【補正の内容】
【０００９】    （１）の構成によれば、車輪支持板上部には、左右方向を保持する略縦コの字型の左右方向保持部を備えている。
左右方向保持部は、左右間隔空けて所定の位置に回転自在に支持する回転支持部を備えている。
回転支持部は、左右方向保持部の左右両側の中央近傍を回転自在に保持している。
回転支持部に支持された前記左右方向保持部端部が、水平の位置から後方方向に回転する。
左右方向保持部の両端部が当接して左右方向を保持する。
左右方向と上下方向と前後方向に緩みある連結された連結移動着脱椅子である。
【手続補正８】
【補正対象書類名】明細書
【補正対象項目名】００１５
【補正方法】変更
【補正の内容】
【００１５】図２は、正面から見た図で、座席板４１を表示しない図で、左右方向保持部２２Ａが水平から後方に回転してロックが掛かった状態を示す。
図の説明を車輪支持板１４に沿って上から下から左から右に説明する。
自在前輪脚１２・車輪支持板１４・自在前輪３１・Ｌ字型又は逆Ｔ字型で前後方向と上下方向支持部２１・左右方向保持部回転軸２４・回転支持部２３・左右方向保持部２２Ａ・両端当接部２２Ｃ・左右方向保持部２２Ａの左右を連結する連結棒２５・左右方向保持部幅支持２２Ｂ・自在後輪脚１３・自在後輪３２・図に対して、これより右方向は前文紹介の逆さになる。
【手続補正９】
【補正対象書類名】明細書
【補正対象項目名】００１９
【補正方法】変更
【補正の内容】
【００１９】図７は、連結移動着脱椅子を下面から見た図で、座席板４１を表示しない図で、左右方向保持部２２Ａが水平から後方に回転してロックが掛かった状態を示す。
図の説明を上から下から左から右に説明する。
自在前輪３１・車輪支持板１４・Ｖ字型フレーム１１・Ｌ字型又は逆Ｔ字型で前後方向と上下方向支持部２１・左右方向保持部回転軸２４・回転支持部２３・左右方向保持部２２Ａ・左右方向保持部幅支持２２Ｂ・左右方向保持部２２Ａの左右を連結する連結棒２５・左右方向保持部２２Ａ・回転支持部２３・左右方向保持部回転軸２４・Ｌ字型又は逆Ｔ字型で前後方向と上下方向支持部２１・自在前輪３１・車輪支持板１４・Ｖ字型フレーム１１がある。
【手続補正１０】
【補正対象書類名】明細書
【補正対象項目名】００２０
【補正方法】変更
【補正の内容】
【００２０】図８は、連結移動着脱椅子をＡ−Ａ線断面図で右面から見た図で、座席板４１を表示しない図で、左右方向保持部２２Ａが水平から後方に回転してロックが掛かった状態を示す。
図の説明を上から下から左から右に説明する。
自在前輪脚１２・回転支持部２３・車輪支持板１４・Ｌ字型又は逆Ｔ字型で前後方向と上下方向支持部２１・自在前輪３１・左右方向保持部２２Ａ・左右方向保持部回転軸２４・左右方向保持部２２Ａの左右を連結する連結棒２５・Ｖ字型フレーム１１・自在後輪脚１３・自在後輪３２がある。
【手続補正１１】
【補正対象書類名】明細書
【補正対象項目名】００２１
【補正方法】変更
【補正の内容】
【００２１】図９は、連結移動着脱椅子をＡ−Ａ線断面図で右面から見た図で、座席板４１を表示した図で、左右方向保持部２２Ａが後方から水平に回転してロックを解除した状態を示す。
図の説明を上から下から左から右に説明する。
座席板４１・Ｖ字型フレーム１１・自在前輪脚１２・左右方向保持部２２Ａ・左右方向保持部２２Ａの左右を連結する連結棒２５・車輪支持板１４・Ｌ字型又は逆Ｔ字型で前後方向と上下方向支持部２１・自在前輪３１・自在後輪脚１３・自在後輪３２がある。
【手続補正１２】
【補正対象書類名】明細書
【補正対象項目名】００２３
【補正方法】変更
【補正の内容】
【００２３】１        車台フレーム
１１      Ｖ字型フレーム
１２      自在前輪脚
１３      自在後輪脚
１４      車輪支持板
２０      連結支持機構
２１      Ｌ字型又は逆Ｔ字型で前後方向と上下方向支持部
２２Ａ    左右方向保持部
２２Ｂ    左右方向保持部幅支持
２２Ｃ    両端支持部
２３      回転支持部
２４        左右方向保持部回転軸
２５        左右方向保持部２２Ａの左右を連結する連結棒
３０        自在車輪
３１        自在前輪
３２        自在後輪
４０        座席
４１        座席板
１００      移乗移動器具
１０１      移乗移動器具の連結移動着脱椅子との連結部
１０２      移乗移動器具の安全帯
２００      人物